(57)【特許請求の範囲】
【請求項１】
車両側部のドア開口部を開閉するスライドドアと、前記ドア開口部の後側にリヤクォータガラスを備え、前記スライドドアをスライド支持するレールが該リヤクォータガラスの下部内側に沿って配置されて、該リヤクォータガラスの下方に沿ってボディ段差部が形成された車両において、
前記段差部の上面に沿って、前記レールの端末処理用のプロテクタが取り付けられており、該プロテクタの長手方向中途位置に、前記ドア開口部側へ向かう雨水等の流れを阻止するための堰き止め部を設けた防水構造。
【請求項２】
請求項１記載の防水構造であって、前記ドア開口部の周囲に車両ボディの側部から車室内側へ一段低いドア収容部が設けられ、該ドア収容部に前記スライドドアが収容されて前記ドア開口部が閉止され、該ドア収容部から前記リヤクォータガラスの下方に至って前記段差部が設けらるとともに該段差部の上面に沿って前記プロテクタが取り付けられており、前記リヤクォータガラス前端部に対応して前記プロテクタの長手方向中途位置に前記堰き止め部を設けた防水構造。
【発明の詳細な説明】
【技術分野】
【０００１】
この発明は、車両の例えば側部に設けられるスライドドアの防水構造に関する。
【背景技術】
【０００２】
例えば図８に示すようにワンボックスカーやミニバンと称される車両５０の側部には、前後方向にスライドさせて開閉する形式のスライドドア５１が装備されている。図７に示すようにこのスライドドア５１は、ドア開口部５２の上部に沿って設けたアッパレール５３と、ドア開口部５２の下部に沿って設けたロアレール５４と、これら上下のレール５３，５４間のほぼ中央の高さでドア開口部５２の後部から後方へ向けて延びるセンタレール５５に対して、それぞれ当該スライドドア５１に回転自在に支持した上部前側の縦向きのガイドローラ５３ａ、下部前側の縦向きのガイドローラ５４ａと横向きのガイドローラ５４ｂ、後側の２つの縦向きのガイドローラ５５ａ，５５ａと１つの横向きのガイドローラ５５ｂを転動可能に係合させてスライド自在に支持されている。
近年、上記のセンタレール５５については、リヤクォータガラス５９の下部内側に沿って配置することにより当該車両の側部意匠面の見栄えを向上させる工夫がなされている。
一方、図６に示すように車両側部のドア開口部５２にはその周囲全周にわたってウエザーストリップ５６が取り付けられており、スライドドア５１を閉止した状態では、このウエザーストリップ５６が当該スライドドア５１の周縁部に弾性押圧されて車室内外間の防水性や気密性等が確保されるようになっている。
このウエザーストリップ５６については、主として寒冷地において車両ルーフＲから流下した雨水や融雪水、あるいは直接降りかかった雨水等（以下、単に雨水等Ｗという）が付着し、これが気温低下により氷結した場合にスライドドア５１が開かなくなる問題が指摘されており、従来この問題を解消するための様々な技術が提供されている。例えば、下記の特許文献には、車両ルーフＲから流下した雨水等Ｗを受ける樋部をウエザーストリップ５６の上辺部上側に沿って配置し、この樋部によって流下した雨水等Ｗを受けて後側のリヤクォータガラス側へ流すことによりウエザーストリップ５６への付着を回避し、ひいてはその氷結を防止することによりスライドドア５１が開かなくなる問題を解消していた。
【特許文献１】特開２００６−３５８９６号公報
【特許文献２】特開２００３−１１２５２８号公報
【特許文献３】実開昭５７−２０３１７号公報
【発明の開示】
【発明が解決しようとする課題】
【０００３】
しかしながら、上記のようにスライドドア５１を開閉支持するセンターレール５５をリヤクォータガラス５９の下部内側に沿って配置する構造を採用する場合には、リヤクォータガラス５９に沿って流下した雨水等Ｗが上記センターレール５５の取り付け部周辺であって、主としてボディ側部の段差部５７を経て再びドア開口部５２側へ戻されてしまい、これがウエザーストリップ５６の主として後側の縦辺部５６ａに付着して従来と同様スライドドア５１が開かなくなる問題が発生しやすくなっていた。
特に、ボディ側部の段差部５７は、スライドドア５１の開閉性を高めるためセンターレール５５と同様、車両前側へ下る方向（図６において白抜きの矢印で示す方向）に僅かな角度で傾斜した状態に設けられている。このため、図６に示すように車両ルーフＲから流下した雨水等Ｗがリヤクォータガラス５９を伝わって当該段差部５７に落下すると、これが前方のウエザーストリップ５６の後側縦辺部５６ａに向けて案内されてしまう問題があった。
また、スライドドア５１の場合にはその前側に開閉操作用のドアハンドル５８が設けられており、このドアハンドル５８を経て付加されるドア開き操作力（当該スライドドア５１をウエザーストリップ５６から引き離す方向の操作力）が当該スライドドア５１の後端部側に伝わりにくいため、ウエザーストリップ５６の後側縦辺部５６ａとスライドドア５１の後端部との間で氷結するとスライドドア５１が開かなくなるといった問題が発生しやすくなる。
そこで、本発明では、車両側部の見栄えを向上させる等の目的でリヤクォータガラスの下部内側に沿ってスライドドア案内用のスライドレールが配置され、その結果としてボディ側部に上記の段差部が設けられた形態の車両において、この段差部によって雨水等Ｗがウエザーストリップ側に案内されてしまう問題を解消し、ひいては当該ウエザーストリップの氷結によりスライドドアが開かなくなる問題を解消することを目的とする。
【課題を解決するための手段】
【０００４】
上記の課題は、以下の各発明によって解決される。
第１の発明は、車両側部のドア開口部を開閉するスライドドアと、ドア開口部の後側にリヤクォータガラスを備え、スライドドアをスライド支持するレールがリヤクォータガラスの下部内側に沿って配置されて、リヤクォータガラスの下方に沿ってボディ段差部が形成された車両において、この段差部の上面に、ドア開口部側へ向かう雨水等の流れを阻止するための堰き止め部を設けた防水構造である。
第１の発明によれば、リヤクォータガラスを伝わって流下した雨水等は、当該リヤクォータガラスの下端部から段差部の上面に流れ落ち、その後等が段差部の上面をドア開口部側へ向かって流下する。この段差部の上面には、ドア開口部側へ向かう雨水等の流れを阻止するための堰き止め部が設けられている。このため、段差部の上面をドア開口部側へ向かって流下する雨水等がこの堰き止め部で堰き止められて、ドア開口部側へ流下することが阻止される。堰き止め部によって堰き止められた雨水等は、ボディ側部に沿って流下し、従ってドア開口部側へ流下することがない。
このように、スライドドアの後側に配置されたリヤクォータガラスを伝わって段差部に流下した雨水等は、堰き止め部で堰き止められて、ドア開口部側へ流れないので、当該リヤクォータガラスの下部内側に沿ってレールを配置したスライドドアのスライド支持構造において、ドア開口部の周囲に装着したウエザーストリップが氷結し、その結果スライドドアが開かなくなるといった問題を未然に防ぐことができる。
第２の発明は、第１の発明において、段差部の上面に沿って、レールの端末処理用のプロテクタが取り付けられており、プロテクタの長手方向中途位置に堰き止め部を一体に設けた防水構造である。
第２の発明によれば、リヤクォータガラスの下部内側に沿って配置したレールの端末処理をするためのプロテクタを利用してスライドドアの防水を実現することができ、大きなコストアップを招くことなく、従来の問題を解消することができる。
第３の発明は、第２の発明において、ドア開口部の周囲に車両ボディの側部から車室内側へ一段低いドア収容部が設けられ、このドア収容部にスライドドアが収容されてドア開口部が閉止され、ドア収容部からリヤクォータガラスの下方に至って段差部が設けらるとともにこの段差部の上面に沿ってプロテクタが取り付けられており、リヤクォータガラスの前端部に対応してプロテクタの長手方向中途位置に堰き止め部を設けた防水構造である。
第３の発明によれば、ボディ側部からドア収容凹部の後側見切り部に至る屈曲したコーナー部（屈曲経路）に沿って段差部が形成され、この段差部の上面にプロテクタが取り付けられている。この場合に、堰き止め部がリヤクォータガラスの前端下方であって、段差部のコーナー部に沿って堰き止め部が配置されている。
従来より、段差部のコーナー部に対応してプロテクタの中途位置についても平面的に見て屈曲した形状とされていた。このため、当該プロテクタを樹脂成形部品として製作する場合に、段差部の屈曲部に沿った範囲については型成形により形成され、その両端の直線経路に沿った範囲については押し出し成形により形成している。
このことから、段差部のコーナー部に沿った範囲に堰き止め部を設ける構成とすることにより、当該堰き止め部を型成形により一体成形することができることから、従来に比して大きなコストアップを招くことなく、従来の問題を解消することができる。
【発明を実施するための最良の形態】
【０００５】
次に、本発明の実施の形態を図１〜図４に基づいて説明する。本実施形態に係る防水構造では、スライドドアの支持構造自体については従来と同様で足りることから、同位の符号を用いてその説明を省略する。
図１は、ドア開口部５２の周囲に沿って設けられ、このドア開口部５２を閉止する際にスライドドア５１を収容するドア収容凹部６０の後側見切り部とボディ側部６１との間のコーナー部周辺（図８において符号(F1)で示す部位）を示している。ドア収容凹部６０の後側見切り部とボディ側部６１は相互に概ね直角に連なっている。当該後側見切り部の後側には、リヤクォータガラス５９が取り付けられている。このリヤクォータガラス５９の内側には、スライドドア５１をスライド支持するセンタレール５５が配置されている。このセンタレール５５は、リヤクォータガラス５９の下部に沿って配置されている。
ボディ側部６１には、このセンタレール５５を取り付けるためのレール取り付け凹部６２がリヤクォータガラス５９の下部に沿って車両前後方向に長く形成されている。図５には、このセンタレール５５に対するスライドドア５１の支持構造が示されている。スライドドア５１の後部であってその高さ方向ほぼ中央には、ブラケット６７が取り付けられている。このブラケット６７の先端に、２つの縦向きのガイドローラ５５ａ，５５ａと１つの横向きのガイドローラ５５ｂがそれぞれ独立して回転自在に支持されている。２つの縦向きのガイドローラ５５ａ，５５ａは、相互に平行な上下方向の回転軸線回りに回転自在に支持されている。１つの横向きのガイドローラ５５ｂは、水平方向の回転軸線回りに回転自在に支持されている。２つの縦向きのガイドローラ５５ａ，５５ａは、車両前後方向に一定の間隔をおいて配置されている。２つの縦向きのガイドローラ５５ａ，５５ａの間に、１つの横向きのガイドローラ５５ｂが配置されている。この点は、図７に示す従来構成と同様であり、本実施形態において特に変更を要しない。
一方、ボディ側部６１に設けたレール取り付け凹部６２内に、センタレール５５が取り付けられている。このセンタレール５５が、ボディ側部６１に取り付けたリヤクォータガラス５９の下部に沿ってその内側（車室内側）に取り付けられている。このセンタレール５５には、縦向きのガイドローラ５５ａ，５５ａを案内するための縦ローラ案内部５５ｄと、横向きのガイドローラ５５ｂを案内するための横ローラ転動部５５ｃが設けられている。横ローラ転動部５５ｃ上に横向きのガイドローラ５５ｂが転動自在に乗せ掛けられることにより、当該スライドドア５１の自重が受けられるとともに、その上下の変位が規制されている。
【０００６】
センタレール５５の縦ローラ案内部５５ｄ内に２つの縦向きのガイドローラ５５ａ，５５ａがそれぞれ転動自在に進入している。これにより、スライドドア５１が車幅方向の変位を規制された状態で車両前後方向にスライド可能に支持されている。
センタレール５５の横ローラ転動部５５ｃ上には、転動音抑制用のレールプレート６６が取り付けられている。このレールプレート６６は、横ローラ転動部５５ｃの全長にわたって取り付けられている。横向きのガイドローラ５５ｂは、このレールプレート６６を介して横ローラ転動部５５ｃ上を転動する。
図５に示すようにレールプレート６６は、横ローラ転動部５５ｃをはみ出して、当該レール取り付け凹部６２の口元側であってリヤクォータガラス５９のほぼ下方となる部位にまで張り出している。当該レール取り付け凹部６２の口元の下部が、前記段差部５７に相当する。この段差部５７まで張り出したレールプレート６６の先端部には、当該先端部の主として見栄えを向上させるための端末処理用のプロテクタ７０が取り付けられている。本実施形態は、このプロテクタ７０に特徴を有している。このプロテクタ７０の詳細が図１〜図４に示されている。このプロテクタ７０は、レールプレート６６の先端部に沿って取り付けられるとともに、ボディ側部６１の段差部５７の上面に沿って取り付けられている。図示は省略したが、このプロテクタ７０は、その下面が段差部５７の上面に接着されるとともに、その長手方向に適宜間隔をおいて段差部５７の上面にクリップ止めされている。
【０００７】
ボディ側部６１の段差部５７は、ドア収容凹部６０の後側見切り部にまで至っている。このため、図１に示すように当該段差部５７は、ボディ側部６１に沿った範囲からドア収容凹部６０の後側見切り部に至る範囲に跨って形成されており、従って平面的に見てほぼ直角に屈曲した経路で設けられている。プロテクタ７０は、この段差部５７の上面に沿って取り付けられており、リヤクォータガラス５９の下方に沿った範囲（図１において右側の範囲）から直角に屈曲した範囲を経てドア収容凹部６０の後側見切り部に至る範囲（図１において左側の範囲）に沿って取り付けられている。
このプロテクタ７０の長手方向中途部位であって、段差部５７の屈曲部に沿ったコーナー部ＡＧ（図１において符号ＡＧで示す範囲）には、堰き止め部７０ａが設けられている。この堰き止め部７０ａの車両後側の端部（図１において右側端部）から後側へ延びる範囲と、車両前側の端部（図１において左側端部）からドア収容凹部６０の奥部へ延びる範囲は、従来と同じくＬ字形の断面形状に形成されている。以下、この従来と同じ断面形状に形成された部分を端末処理部７０ｂと称して上記堰き止め部７０ａと区別する。堰き止め部７０ａの断面形状が図３に示され、端末処理部７０ｂの断面形状が図４に示されている。図３に示すように堰き止め部７０ａの断面形状は、端末処理部７０ｂの断面形状よりも肉厚に盛り上がった形状に形成されている。
このため、リヤクォータガラス５９を伝わって端末処理部７０ｂ上に流下し、あるいは直接降りかかる雨水等Ｗは、段差部５７が車両前側へ僅かな角度で下る方向に傾斜して設けられている結果、当該端末処理部７０ｂの上面を車両前側へ向かって（図１において左側へ向かって）流下する。しかしながら、図２に示すように端末処理部７０ｂを伝わって流下する雨水等Ｗがドア収容凹部６０の後側見切り部の手前において堰き止め部７０ａによって堰き止められて側方へ流下することからドア収容凹部６０にまで流れ込まない。
プロテクタ７０は、従来通り樹脂成型品で、コーナー部ＡＧに沿った堰き止め部７０ａが型成形により形成され、その両側のストレート部となる端末処理部７０ｂ，７０ｂがそれぞれ押し出し成形により形成されている。
【０００８】
以上のように構成した本実施形態の防水構造によれば、車両ルーフＲからリヤクォータガラス５９を伝わって流下した雨水や融雪あるいは段差部５７に直接降りかかる雨水等Ｗがプロテクタ７０を伝わって車両前側に向かって流れても、当該プロテクタ７０に設けた堰き止め部７０ａに堰き止められてドア収容凹部６０の後側見切り部まで流れることが防止される。
このため、車両側部の見栄えを向上させる等の目的でリヤクォータガラス５９の下部内側に沿ってセンタレール５５が配置され、その結果としてボディ側部６１に段差部５７が設けられた形態の車両において、少なくともリヤクォータガラス５９を伝わる等して段差部５７上に流下した雨水等Ｗについて、ドア収容凹部６０の後側見切り部へ流れ込む量を従来よりも大幅に低減することができ、これにより雨水等Ｗを介してウエザーストリップ５６が氷結することによりスライドドア５１が開かなくなるといったトラブルを少なくすることができる。
また、プロテクタ７０は、コーナー部ＡＧに沿った堰き止め部７０ａが従来と同様型成形により形成され、両側の端末処理部７０ｂ，７０ｂについても従来と同様押し出し成形により形成されていることから、大きなコストアップを招くことなく上記の作用効果を得ることができる。
【０００９】
以上説明した実施形態には種々変更を加えることができる。例えば、段差部５７の屈曲経路のほぼ全体に沿って長い範囲で堰き止め部７０ａを設けた構成を例示したが、リヤクォータガラス５９の前端下方にのみ対応してより短い範囲で堰き止め部を設ける構成としてもよい。
また、主としてセンタレール５５の見栄えをよくすることを目的として取り付けられるプロテクタ７０を利用して段差部５７に堰き止め部７０ａを設ける構成を例示したが、当該段差部５７の上面に直接堰き止め部を設ける構成としてもよい。また、プロテクタ７０に設けた堰き止め部７０ａに加えて段差部５７の上面に直接堰き止め部を設ける構成としてもよい。
要は、主としてリヤクォータガラス５９を伝わって段差部５７上に流下した雨水等Ｗが当該段差部５７に沿ってドア収容凹部６０の後側見切り部に流れ込むことを阻止する堰き止め部を当該段差部上に設けることにより同様の作用効果を得ることができる。
【図面の簡単な説明】
【００１０】
【図１】本発明の実施形態に係る防水構造を備えた車両における、スライドドアの後側見切り部周辺の斜視図である。
【図２】プロテクタの堰き止め部及びその周辺の側面図である。
【図３】図１の(F3)-(F3)線断面矢視図であって、プロテクタの堰き止め部及びその周辺の縦断面図である。
【図４】図１の(F4)-(F4)線断面矢視図であって、プロテクタの端末処理部及びその周辺の縦断面図である。
【図５】図７の(F5)-(F5)線断面矢視図であって、センタレールに対するスライドドアの支持構造を示す縦断面図である。
【図６】車両のスライドドア周辺の側面図である。本図は、開けた状態のスライドドアが二点鎖線で示されている。
【図７】スライドドアの支持構造の概略を示す側面図である。
【図８】車両全体の側面図である。
【符号の説明】
【００１１】
Ｒ…車両ルーフ
５０…車両
５１…スライドドア
５２…ドア開口部
５３…アッパレール、５３ａ…縦向きのガイドローラ
５４…ロアレール、５４ａ…縦向きのガイドローラ、５４ｂ…横向きのガイドローラ
５５…センタレール
５５ａ…縦向きのガイドローラ、５５ｂ…横向きのガイドローラ
５５ｃ…横ローラ転動部、５５ｄ…縦ローラ案内部
５６…ウエザーストリップ、５６ａ…後側縦辺部
５７…段差部
５８…ドアハンドル
５９…リヤクォータガラス
６０…ドア収容凹部
６１…ボディ側部
６２…ドア開口部
７０…プロテクタ、７０ａ…堰き止め部、７０ｂ…端末処理部
ＡＧ…プロテクタのコーナー部
【図１】
0005083003.tif 000002
【図２】
0005083003.tif 000003
【図３】
0005083003.tif 000004
【図４】
0005083003.tif 000005
【図５】
0005083003.tif 000006
【図６】
0005083003.tif 000007
【図７】
0005083003.tif 000008
【図８】
0005083003.tif 000009